(57)【要約】【課題】地盤改良薬液を対象領域に安定して注入できるようにした地盤改良薬液の注入方法および装置を提供する。【解決手段】地盤を削孔して形成した挿入孔Ｓに内接するケーシングロッドに外管３を挿入してからケーシングロッドを引き抜き、次いで、外管３に内管５を所定位置まで挿入して、膨張させた２つのパッカー６ａ、６ｂの間の吐出口５ａ、５ｂから供給した瞬結性固化液Ｃを外管３の注入口３ａを通じて地盤に注入して固化させることにより注入口３ａ周辺にパッカーＰを形成し、このパッカーＰを形成した注入口３ａ、３ａの間にある別の注入口３ａを通じて、内管５の膨張させた２つのパッカー６ａ、６ｂの間の吐出口５ａ、５ｂから供給した地盤改良薬液Ｇを地盤に注入する。【選択図】    図６
2009019418.tif 000002
【特許請求の範囲】
【請求項１】
地盤を削孔して形成した挿入孔に内接するケーシングロッドに、軸方向に離間して多数の注入口を設けた外管を挿入してから該ケーシングロッドを引き抜いた後、前記外管に内管を所定位置まで挿入し、該内管の軸方向に離間して設けた２つの膨縮可能なパッカーを膨張させて外管の内周面に圧接させた状態にして、該２つの膨張させているパッカーの間の吐出口から地盤改良薬液を供給し、該供給した地盤改良薬液を前記外管に設けた注入口から地盤に注入する工程を、順次、前記内管の吐出口の位置を前記外管の軸方向にずらして行なう地盤改良薬液の注入方法であって、前記外管の軸方向に離間した注入口から瞬結性固化液を地盤に注入して固化させることにより、該瞬結性固化液を地盤に注入した注入口周辺にパッカーを形成した後、該瞬結性固化液を注入した注入口と注入口との間に位置する別の注入口から前記地盤改良薬液を地盤に注入する地盤改良薬液の注入方法。
【請求項２】
前記２つの膨縮可能なパッカーよりも内管軸方向後方に、さらに１つの膨縮可能なパッカーを設け、該内管に設けた３つの膨縮可能なパッカーのうち、内管軸方向後方側の２つのパッカーを膨張させて外管の内周面に圧接させた状態にして、該膨張させている内管軸方向後方側の２つのパッカーの間の吐出口から前記瞬結性固化液を供給して前記注入口から地盤に注入し、前記３つの膨縮可能なパッカーのうち、内管軸方向前方側の２つのパッカーを膨張させて外管の内周面に圧接させた状態にして、該膨張させている内管軸方向前方側の２つパッカーの間の吐出口から前記地盤改良薬液を供給するようにした請求項１に記載の地盤改良薬液の注入方法。
【請求項３】
前記挿入孔を途中で向きを変えて水平方向に形成した請求項１または２に記載の地盤改良薬液の注入方法。
【請求項４】
地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して３つの膨縮可能なパッカーを設け、該３つの膨縮可能なパッカーのうち、内管軸方向前方側の２つの膨縮可能なパッカーの間に地盤改良薬液を供給する吐出口を設け、前記３つの膨縮可能なパッカーのうち、内管軸方向後方側の２つの膨縮可能なパッカーの間に瞬結性固化液を供給する吐出口を設けた地盤改良薬液の注入装置。
【請求項５】
前記内管を、第１内管と、該第１内管に内挿された第２内管とで構成した２重管にするとともに、前記第２内管の内部を軸方向に沿って２つに区分した２分割構造にして、該２つに区分して形成された一方の領域を前記地盤改良薬液が流通する薬液流路とし、他方の領域を２液タイプの前記瞬結性固化液の一方の液が流通する第１固化液流路とし、第１内管と第２内管とのすき間を瞬結性固化液の他方の液が流通する第２固化液流路とした請求項４に記載の地盤改良薬液の注入装置。
【請求項６】
地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して２つの膨縮可能なパッカーを設け、該２つの膨縮可能なパッカーの間に吐出口を設け、前記内管の内部を軸方向に沿って２つに区分した２分割構造にして、該２つに区分して形成された一方の領域を２液タイプの前記瞬結性固化液の一方の液が流通する第１固化液流路とし、他方の領域を前記瞬結性固化液の他方の液が流通する第２固化液流路とするとともに、第１固化液流路および第２固化液流路を、前記地盤改良薬液が流通する薬液流路に切り換える切り換え手段を設けた地盤改良薬液の注入装置。
【請求項７】
地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して２つの膨縮可能なパッカーを設け、該２つの膨縮可能なパッカーの間に吐出口を設け、前記内管を並設された第１内管と第２内管とで構成し、該第１内管を２液タイプの前記瞬結性固化液の一方の液が流通する第１固化液流路とし、第２内管を２液タイプの前記瞬結性固化液の他方の液が流通する第２固化液流路とするとともに、第１固化液流路と第２固化液流路の少なくとも一方を、前記地盤改良薬液が流通する薬液流路に切り換える切り換え手段を設けた地盤改良薬液の注入装置。
【請求項８】
前記外管が可撓性を有する請求項４〜７のいずれかに記載の地盤改良薬液の注入装置。
【発明の詳細な説明】
【技術分野】
【０００１】
本発明は、地盤改良薬液の注入方法および装置に関し、さらに詳しくは、地盤改良薬液を対象領域に安定して注入できるようにした地盤改良薬液の注入方法および装置に関するものである。
【背景技術】
【０００２】
従来、地盤を強化するために、パッカーを有する二重管を用いて対象地盤に地盤改良薬液を注入する方法が種々提案されている（例えば、特許文献１参照）。特許文献１では、外管と内管のそれぞれにパッカーを設けた二重管により地盤改良薬液を注入するようにしている。この外管に設けたパッカーは膨張することにより、ケーシングを引き抜いた後の挿入孔の内周面と外管の外周面とのすき間をパッキング（シール）する。これにより、内管に設けられた２つのパッカーの間の供給口から供給された地盤改良薬液を外管の注入口を通じて地盤に注入した際に、地盤改良薬液が挿入孔の内周面と外管の外周面とのすき間を伝って流出することを防止して、対象領域に注入できるようにしている。
【０００３】
しかしながら、この提案の方法では外管をケーシングに挿入する際に、外管の外周面に突出するパッカーが、ケーシングの内周面と擦れて破損し易いという問題があった。そのため、外管のパッカーが破損等によって十分に膨張せずに、外管と挿入孔とのすき間をパッキングすることができなくなり、注入した地盤改良薬液が、このすき間に流出して対象領域への注入が不十分になるという問題があった。
【特許文献１】特開２００５−３１４９３８公報
【発明の開示】
【発明が解決しようとする課題】
【０００４】
本発明の目的は、地盤改良薬液を対象領域に安定して注入できるようにした地盤改良薬液の注入方法および装置を提供することにある。
【課題を解決するための手段】
【０００５】
上記目的を達成するため本発明の地盤改良薬液の注入方法は、地盤を削孔して形成した挿入孔に内接するケーシングロッドに、軸方向に離間して多数の注入口を設けた外管を挿入してから該ケーシングロッドを引き抜いた後、前記外管に内管を所定位置まで挿入し、該内管の軸方向に離間して設けた２つの膨縮可能なパッカーを膨張させて外管の内周面に圧接させた状態にして、該２つの膨張させているパッカーの間の吐出口から地盤改良薬液を供給し、該供給した地盤改良薬液を前記外管に設けた注入口から地盤に注入する工程を、順次、前記内管の吐出口の位置を前記外管の軸方向にずらして行なう地盤改良薬液の注入方法であって、前記外管の軸方向に離間した注入口から瞬結性固化液を地盤に注入して固化させることにより、該瞬結性固化液を地盤に注入した注入口周辺にパッカーを形成した後、該瞬結性固化液を注入した注入口と注入口との間に位置する別の注入口から前記地盤改良薬液を地盤に注入することを特徴とするものである。
【０００６】
ここで、前記２つの膨縮可能なパッカーよりも内管軸方向後方に、さらに１つの膨縮可能なパッカーを設け、該内管に設けた３つの膨縮可能なパッカーのうち、内管軸方向後方側の２つのパッカーを膨張させて外管の内周面に圧接させた状態にして、該膨張させている内管軸方向後方側の２つのパッカーの間の吐出口から前記瞬結性固化液を供給して前記注入口から地盤に注入し、前記３つの膨縮可能なパッカーのうち、内管軸方向前方側の２つのパッカーを膨張させて外管の内周面に圧接させた状態にして、該膨張させている内管軸方向前方側の２つパッカーの間の吐出口から前記地盤改良薬液を供給することもできる。また、例えば、前記挿入孔を途中で向きを変えて水平方向に形成する。
【０００７】
また、本発明の地盤改良薬液の注入装置は、地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して３つの膨縮可能なパッカーを設け、該３つの膨縮可能なパッカーのうち、内管軸方向前方側の２つの膨縮可能なパッカーの間に地盤改良薬液を供給する吐出口を設け、前記３つの膨縮可能なパッカーのうち、内管軸方向後方側の２つの膨縮可能なパッカーの間に瞬結性固化液を供給する吐出口を設けたことを特徴とするものである。
【０００８】
ここで、前記内管を、第１内管と、該第１内管に内挿された第２内管とで構成した２重管にするとともに、前記第２内管の内部を軸方向に沿って２つに区分した２分割構造にして、該２つに区分して形成された一方の領域を前記地盤改良薬液が流通する薬液流路とし、他方の領域を２液タイプの前記瞬結性固化液の一方の液が流通する第１固化液流路とし、第１内管と第２内管とのすき間を瞬結性固化液の他方の液が流通する第２固化液流路とすることもできる。
【０００９】
本発明の別の地盤改良薬液の注入装置は、地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して２つの膨縮可能なパッカーを設け、該２つの膨縮可能なパッカーの間に吐出口を設け、前記内管の内部を軸方向に沿って２つに区分した２分割構造にして、該２つに区分して形成された一方の領域を２液タイプの前記瞬結性固化液の一方の液が流通する第１固化液流路とし、他方の領域を前記瞬結性固化液の他方の液が流通する第２固化液流路とするとともに、第１固化液流路および第２固化液流路を、前記地盤改良薬液が流通する薬液流路に切り換える切り換え手段を設けたことを特徴とするものである。
【００１０】
また、本発明の別の地盤改良薬液の注入装置は、地盤を削孔して挿入孔を形成するケーシングロッドに挿入する外管と、該外管に挿入して軸方向に移動可能な内管とを有し、前記外管に管内側と管外側とを連通する注入口を軸方向に離間して多数設けるとともに、前記内管に軸方向に離間して２つの膨縮可能なパッカーを設け、該２つの膨縮可能なパッカーの間に吐出口を設け、前記内管を並設された第１内管と第２内管とで構成し、該第１内管を２液タイプの前記瞬結性固化液の一方の液が流通する第１固化液流路とし、第２内管を２液タイプの前記瞬結性固化液の他方の液が流通する第２固化液流路とするとともに、第１固化液流路と第２固化液流路の少なくとも一方を、前記地盤改良薬液が流通する薬液流路に切り換える切り換え手段を設けたことを特徴とするものである。
【００１１】
本発明の地盤改良薬液の注入装置においては、例えば、前記外管が可撓性を有する仕様にする。
【発明の効果】
【００１２】
本発明によれば、地盤を削孔して形成した挿入孔に内接するケーシングロッドに、軸方向に離間して多数の注入口を設けた外管を挿入してから該ケーシングロッドを引き抜いた後、前記外管に内管を所定位置まで挿入し、該内管の軸方向に離間して設けた２つの膨縮可能なパッカーを膨張させて外管の内周面に圧接させた状態にして、該２つの膨張させているパッカーの間の吐出口から地盤改良薬液を供給し、該供給した地盤改良薬液を前記外管に設けた注入口から地盤に注入する工程を、順次、前記内管の吐出口の位置を前記外管の軸方向にずらして行なうに際して、前記外管の軸方向に離間した注入口から瞬結性固化液を地盤に注入して固化させることで、その注入口周辺に強固なパッカーを形成することができ、挿入孔の内周面と外管の外周面とのすき間を確実にシールすることができる。
【００１３】
そのため、瞬結性固化液を地盤に注入した注入口と注入口との間にある別の注入口から前記地盤改良薬液を地盤に注入することで、挿入孔の内周面と外管の外周面とのすき間への地盤改良薬液の流出を抑えることができる。これにより、対象領域に安定して地盤改良薬液を注入して設定どおりに地盤改良を施すことが可能になる。
【発明を実施するための最良の形態】
【００１４】
以下、本発明の地盤改良薬液の注入方法および装置を、構造物が立設している地盤を改良して強化する場合の実施形態に基づいて説明する。
【００１５】
まず、図１に例示するように削孔機１からケーシングロッド２を斜めに延ばして地盤を削孔し、途中で削孔方向を水平に変えて構造物１０の下方の地盤に挿入孔Ｓを形成する。
【００１６】
次いで、図２に例示するように挿入孔Ｓに内接しているケーシングロッド２に、先端にアンカー４を有するとともに、軸方向に離間して多数の注入口３ａを周壁に設けた外管３を挿入する。このアンカー４は、例えば、ゴム等の中空弾性体で形成する。この実施形態では挿入孔Ｓが屈曲しているので、可撓性に優れた外管３を用いることが好ましい。
【００１７】
次いで、図３に例示するように、アンカー４の内部に流体を供給してケーシングロッド２の内径よりも大きく膨張させて外管３を地盤に固定してから、ケーシングロッド２を地上に引き抜く。これにより、ケーシングロッド２を引き抜いた挿入孔Ｓの内周面と外管３の外周面との間にすき間が形成される。尚、挿入孔Ｓの内周面と外管３の外周面との間にすき間に、予めセメントベントナイト等の充填材を充填しておくこともできる。
【００１８】
次いで、図４に例示するように、軸方向に離間する２つの膨縮可能なパッカー６ａ、６ｂを先端部に有する内管５を、外管３に所定位置まで挿入する。２つのパッカー６ａ、６ｂの間の内管５の周壁には第１吐出口５ａおよび第２吐出口５ｂが設けられている。これらパッカー６ａ、６ｂは、例えば、ゴム等の膨縮可能な中空弾性体で形成される。
【００１９】
図８に例示するように、外管３の周壁には周方向に等間隔で４つの注入口３ａが設けられている。注入口３ａの数や配置は特に限定されるものではない。それぞれの注入口３ａには、外管３の内側から外側へのみ開弁する逆止弁３ｂを設けるとよい。
【００２０】
本発明では、外管３の注入口３ａを通じて地盤改良薬液Ｇと２液タイプの瞬結性固化液Ｃとを地盤に注入する。地盤改良薬液Ｇとしては、水ガラス系グラウト、セメント系グラウト等を例示でき、液状から固化（ゲル化）するまでの固化時間は、例えば１日程度である。２液タイプの瞬結性固化液Ｃは、例えばＣ１液とＣ２液とを混合して急速に固化するものであり、固化時間が５秒〜３０秒程度のものである。瞬結性固化液Ｃとしては、水ガラス系グラウト、可塑性グラウト等を例示することができる。
【００２１】
内管５は、図８に例示するように、内部が軸方向に沿って２つに区分された２分割構造になっている。この２つに区分して形成された一方の領域が、瞬結性固化液Ｃの一方のＣ１液が流通する第１固化液流路７ｂとなり、第１固化液流路７ｂには第１吐出口５ａが形成されている。そして、２つに区分された他方の領域が、瞬結性固化液Ｃの他方のＣ２液が流通する第２固化液流路７ｃとなり、第２固化液流路７ｃには第２吐出口５ｂが形成されている。
【００２２】
第２固化液流路７ｃにはパッカー６ａ、６ｂに流体を供給するパッカー膨張用パイプ８が内設されている。また、第１固化液流路７ｂおよび第２固化液流路７ｃは、後述する切り換え手段９によって、地盤改良薬液Ｇが流通する薬液流路７ａに切り換えられるように構成されている。
【００２３】
次いで、図５に例示するように２つのパッカー６ａ、６ｂを膨張させて外管３の内周面に圧接させた状態にして第１固化液流路７ｂを通じてＣ１液を第１吐出口５ａから供給し、第２固化液流路７ｃを通じてＣ２液を第２吐出口５ｂから供給する。これによりＣ１液とＣ２液とが混合されて瞬結性固化液Ｃとなる。
【００２４】
このようにして地盤に注入する直前にＣ１液とＣ２液とを混合させた瞬結性固化液Ｃを、膨張させている２つパッカー６ａ、６ｂの間に位置する注入口３ａを通じて地盤に注入する。注入された瞬結性固化液Ｃは、地盤に確実に浸透するとともに急速に固化して、それぞれの注入口３ａの周辺に強固なパッカーＰを形成する。
【００２５】
これにより、挿入孔Ｓの内周面と外管３の外周面とのすき間を確実にシールすることができる。また途中で曲がって形成された挿入孔Ｓであっても、外管３の周りに瞬結性固化液Ｃによる強固なパッカーＰを確実に形成することができる。特に、図８で例示した構造を採用すると、Ｃ１液とＣ２液が混合されてから注入口３ａを通じて地盤に注入されるまでの経路（範囲）を最小限にすることができるので、瞬結性固化液Ｃによる外管３内部の詰まりを一段を効果的に防止することができる。
【００２６】
上記の手順によって瞬結性固化液ＣによりパッカーＰを形成する工程を、順次、内管５の吐出口５ａ、５ｂの位置を外管３の軸方向にずらして行なって、外管３の軸方向に所定間隔でパッカーＰを形成しておく。
【００２７】
次いで、図６に例示するように、内管５の軸方向後方に接続された切り換え手段９により、内管５に接続されていた瞬結性固化液供給源を地盤改良薬液供給源に切り換える。そして、内管５に設けられた２つのパッカー６ａ、６ｂを収縮させた状態で、これらパッカー６ａ、６ｂの間にある第１吐出口５ａおよび第２吐出口５ｂが、既に瞬結性固化液Ｃを注入して周辺の瞬結性固化液ＣによりパッカーＰを形成している注入口３ａと注入口３ａとの間にある別の注入口３ａに位置するように内管５を軸方向に移動させる。
【００２８】
次いで、２つのパッカー６ａ、６ｂを膨張させて外管３の内周面に圧接させた状態にして、薬液流路７ａを通じて地盤改良薬液Ｇを第１吐出口５ａおよび第２吐出口５ｂから供給する。供給された地盤改良薬液Ｇは、膨張させているパッカー６ａ、６ｂの間に位置して、既に瞬結性固化液Ｃを注入した注入口３ａ、３ａの間にある別の注入口３ａを通じて地盤に注入される。図６では、異なる注入口３ａから３回に分けて地盤改良薬液Ｇを地盤に注入しているが、地盤改良薬液Ｇを注入する回数は特に限定されるものではない。
【００２９】
ここで、地盤改良薬液Ｇを注入する注入口３ａの外管軸方向前後の挿入孔Ｓの内周面と外管３の外周面とのすき間は、瞬結性固化液Ｃにより形成されたパッカーＰによって、確実にシールされているので、地盤改良薬液Ｇを、このすき間に流出させることなく、目的とする対象領域に安定して注入でき、周囲に浸透させることができる。これにより、設定どおりの範囲に対して地盤改良を施すことが可能になる。また、このすき間への流出防止により地盤改良薬液Ｇの注入量を抑えることができる。
【００３０】
次いで、上記と同じ手順で、２つのパッカー６ａ、６ｂを収縮させた状態で、内管５を軸方向に移動させて、図７に例示するように２つのパッカー６ａ、６ｂの間にある第１吐出口５ａおよび第２吐出口５ｂを、既にパッカーＰが形成されている注入口３ａと注入口３ａとの間にある別の注入口３ａに配置する。次いで、２つのパッカー６ａ、６ｂを膨張させて、この膨張させているパッカー６ａ、６ｂの間に位置する注入口３ａを通じて地盤改良薬液Ｇを地盤に注入してゆく。
【００３１】
以後、上記したパッカーＰを形成した注入口３ａと注入口３ａとの間に位置する別の注入口３ａから地盤改良薬液Ｇを地盤に注入する工程を、順次、内管５を軸方向に移動させて挿入孔Ｓに沿って行なう。これにより、図１７に例示するように、構造物１０の立設する地盤を地盤改良薬液Ｇにより強化された改良地盤にすることができる。
【００３２】
尚、地盤のすべての対象領域に地盤改良薬液Ｇを注入した後は、内管５を地上に引き抜き、外管３は地盤に埋設したままにしておく。
【００３３】
外管３の内部の構造は、図８に例示したものに限定されるものではなく、例えば、別の構造を図９に示す。この実施形態では、並設された第１内管５Ａと第２内管５Ｂとの２本の管体により内管５が構成されている。第１内管５Ａが瞬結性固化液Ｃの一方のＣ１液が流通する第１固化液流路７ｂになり、第２内管５Ｂが瞬結性固化液Ｃの他方のＣ２液が流通する第２固化液流路７ｃになる。第１固化液流路７ｂには第１吐出口５ａが形成され、第２固化液流路７ｃには第２吐出口５ｂが形成されている。第１内管５Ａと第２内管５Ｂの外側にはパッカー膨張用パイプ８が設けられている。
【００３４】
また、上述したように内管５の軸方向後方には切り換え手段９が接続され、第１固化液流路７ｂおよび第２固化液流路７ｃは、切り換え手段９によって、地盤改良薬液Ｇが流通する薬液流路７ａに切り換えられるように構成されている。尚、第１固化液流路７ｂと第２固化液流路７ｃの少なくともいずれか一方が、薬液流路７ａに切り換えられるように構成すればよい。
【００３５】
このように外管３の内部を構成しても、図４〜図７により説明した同様の手順により
地盤改良薬液Ｇを地盤の対象領域に注入することができる。
【００３６】
図１０に地盤改良薬液の注入装置の別の実施形態を例示する。図１０は、先に説明した地盤改良薬液の注入装置の実施形態の図４に相当する図である。この注入装置を用いた場合も、図１〜図３までの手順は同じである。
【００３７】
外管３に所定位置まで挿入される内管５の先端部には、軸方向に離間する３つの膨縮可能なパッカー６ａ、６ｂ、６ｃが設けられている。これらパッカー６ａ〜６ｃは、例えば、ゴム等の膨縮可能な中空弾性体で形成される。
【００３８】
図１５、図１６に例示するように外管３の周壁には周方向に等間隔で４つの注入口３ａが設けられている。注入口３ａの数や配置は特に限定されるものではない。それぞれの注入口３ａには、外管３の内側から外側へのみ開弁する逆止弁３ｂを設けるとよい。
【００３９】
内管５は、第１内管５Ａと、第１内管５Ａに内挿された第２内管５Ｂとで構成された２重管になっている。第２内管５Ｂの内部は軸方向に沿って２つに区分された２分割構造になっている。この２つに区分して形成された一方の領域が、地盤改良薬液Ｇが流通する薬液流路７ａとなり、薬液流路７ａには図１５に例示するように第１吐出口５ａが形成されている。そして、２つに区分された他方の領域が、２液タイプの瞬結性固化液Ｃの一方のＣ１液が流通する第１固化液流路７ｂとなり、第１固化液流路７ｂには図１６に例示するように第２吐出口５ｂが形成されている。
【００４０】
また、第１内管５Ａと第２内管５Ｂとのすき間は瞬結性固化液Ｃの他方のＣ２液が流通する第２固化液流路７ｃとなり、第２固化液流路７ｃには第３吐出口５ｃが形成されている。第２固化液流路７ｃにはパッカー６ａ、６ｂ、６ｃに流体を供給するパッカー膨張用パイプ８が内設されている。
【００４１】
したがって、図１０に示すように、３つのパッカー６ａ〜６ｃのうち、内管軸方向前方側の２つのパッカー６ａ、６ｂの間の内管５の周壁には第１吐出口５ａおよび第３吐出口５ｃが設けられ、内管軸方向後方側の２つのパッカー６ｂ、６ｃの間には第２吐出口５ｂおよび第３吐出口５ｃが設けられた構造になっている。
【００４２】
図１０に例示するように、外管３に内管５を所定位置まで挿入した後は、図１１に例示するように内管軸方向後方側の２つのパッカー６ｂ、６ｃを膨張させて外管３の内周面に圧接させた状態にして、第１固化液流路７ｂを通じて第１吐出口５ｂからＣ１液を供給し、第２固化液流路７ｃを通じて第２固化液吐出口５ｃからＣ２液を供給する。これによりＣ１液とＣ２液とが混合されて瞬結性固化液Ｃとなり、第３吐出口５ｃから注入口３ａに供給される。
【００４３】
このようにして地盤に注入する直前にＣ１液とＣ２液とを混合させた瞬結性固化液Ｃを、膨張させている２つパッカー６ｂ、６ｃの間に位置する注入口３ａを通じて地盤に注入する。注入された瞬結性固化液Ｃは、地盤に確実に浸透するとともに急速に固化して、それぞれの注入口３ａの周辺に強固なパッカーＰを形成する。
【００４４】
これにより、挿入孔Ｓの内周面と外管３の外周面とのすき間を確実にシールすることができる。また途中で曲がって形成された挿入孔Ｓであっても、外管３の周りに瞬結性固化液Ｃによる強固なパッカーＰを確実に形成することができる。この実施形態では、図１６に例示するようにＣ１液とＣ２液が混合されてから注入口３ａを通じて地盤に注入されるまでの経路（範囲）を最小限にすることができるので、瞬結性固化液Ｃによる外管３内部の詰まりを一段を効果的に防止することができる。
【００４５】
図１１では、上記と同様の手順によって、外管３の先端側の注入口３ａの周辺に瞬結性固化液Ｃにより、既にパッカーＰが形成されている。続いて、図１２に例示するように、３つのパッカー６ａ〜６ｃのうち、内管軸方向前方側の２つのパッカー６ａ、６ｂを膨張させて外管３の内周面に圧接させた状態にして、薬液流路７ａを通じて地盤改良薬液Ｇを第１吐出口５ａから供給する。供給された地盤改良薬液Ｇは、第３吐出口５ｃを通過し、膨張させているパッカー６ａ、６ｂの間に位置して、既に瞬結性固化液Ｃを注入した注入口３ａ、３ａの間にある別の注入口３ａを通じて地盤に注入される。
【００４６】
ここで、地盤改良薬液Ｇを注入する注入口３ａの外管軸方向前後の挿入孔Ｓの内周面と外管３の外周面とのすき間は、瞬結性固化液Ｃにより形成されたパッカーＰによって、確実にシールされているので、地盤改良薬液Ｇを、このすき間に流出させることなく、目的とする対象領域に安定して注入でき、周囲に浸透させることができる。これにより、設定どおりの範囲に対して地盤改良を施すことが可能になる。また、このすき間への流出防止により地盤改良薬液Ｇの注入量を抑えることができる。
【００４７】
次いで、パッカー６ａ〜６ｃを収縮させた状態で内管５を軸方向に移動させる。そして図１３に例示するように、内管軸方向後方側２つのパッカー６ｂ、６ｃを、既に瞬結性固化液Ｃを注入してパッカーＰが形成されている注入口３ａと外管軸方向に所定間隔離れた位置に配置する。そして、上述した同様の手順によって地盤に注入する直前にＣ１液とＣ２液とを混合させた瞬結性固化液Ｃを、膨張させているパッカー６ｂ、６ｃ間に位置する注入口３ａを通じて地盤に注入する。これにより、瞬結性固化液Ｃを注入した注入口３ａの周辺に新たなパッカーＰを形成する。
【００４８】
次いで、図１４に例示するように、上述した同様の手順によって、第１吐出口５ａから供給された地盤改良薬液Ｇを、膨張させているパッカー６ａ、６ｂの間に位置して、既に瞬結性固化液Ｃを注入した注入口３ａ、３ａの間にある別の注入口３ａを通じて地盤に注入する。これにより新たな範囲に対して地盤改良を施す。
【００４９】
以後、上記した瞬結性固化液Ｃを地盤に注入してパッカーＰを形成し、次いで、パッカーＰを形成した注入口３ａと注入口３ａとの間に位置する別の注入口３ａから地盤改良薬液Ｇを地盤に注入する工程を、順次、内管５を軸方向に移動させて挿入孔Ｓに沿って行なう。これにより、図１７に例示するように、構造物１０の立設する地盤を地盤改良薬液Ｇにより強化された改良地盤にすることができる。
【００５０】
上記実施形態に例示した手順に限らず、瞬結性固化液Ｃを地盤に注入して、その周辺にパッカーＰを形成した注入口３ａと注入口３ａとの間に位置する別の注入口３ａから地盤改良薬液Ｇを地盤に注入すればよい。例えば、外管３の軸方向に所定間隔で、瞬結性固化液Ｃによって多数のパッカーＰを予め形成しておき、その後、これらパッカーＰが形成されている注入口３ａと注入口３ａの間にある別の注入口３ａから地盤改良薬液Ｇを地盤に注入するようにしてもよい。
【００５１】
また、本発明は、実施形態に示したように挿入孔Ｓを途中で屈曲させて水平方向に形成する場合だけでなく、直線的に垂直方向や斜め方向に挿入孔Ｓを形成する場合にも適用することができる。
【図面の簡単な説明】
【００５２】
【図１】本発明の地盤改良薬液の注入装置を用いた地盤改良薬液の注入方法の最初の工程を例示する説明図である。
【図２】図１の次の工程を例示する説明図である。
【図３】図２の次の工程を例示する説明図である。
【図４】図３の次の工程を例示する説明図である。
【図５】図４の次の工程を例示する説明図である。
【図６】図５の次の工程を例示する説明図である。
【図７】図６の次の工程を例示する説明図である。
【図８】図４のＡ−Ａ断面図である。
【図９】外管の内部構造の変形例を示す図４のＡ−Ａ断面図である。
【図１０】別の実施形態を例示する図４に相当する説明図である。
【図１１】図１０の次の工程を例示する説明図である。
【図１２】図１１の次の工程を例示する説明図である。
【図１３】図１２の次の工程を例示する説明図である。
【図１４】図１３の次の工程を例示する説明図である。
【図１５】図１０のＢ−Ｂ断面図である。
【図１６】図１０のＣ−Ｃ断面図である。
【図１７】本発明の地盤改良薬液の注入方法により形成された改良地盤を例示する説明図である。
【符号の説明】
【００５３】
１  削孔機
２  ケーシングロッド
３  外管
３ａ  注入口
３ｂ  逆止弁
４  アンカー
５  内管
５Ａ  第１内管
５Ｂ  第２内管
５ａ  第１吐出口
５ｂ  第２吐出口
５ｃ  第３吐出口
６ａ、６ｂ、６ｃ  膨縮可能なパッカー
７ａ  薬液流路
７ｂ  第１固化液流路
７ｃ  第２固化液流路
８  パッカー膨張用パイプ
９  切り換え手段
１０  構造物
Ｓ  挿入孔
Ｇ  地盤改良薬液
Ｐ  パッカー
Ｃ  瞬結性固化液
【図１】
2009019418.tif 000003
【図２】
2009019418.tif 000004
【図３】
2009019418.tif 000005
【図４】
2009019418.tif 000006
【図５】
2009019418.tif 000007
【図６】
2009019418.tif 000008
【図７】
2009019418.tif 000009
【図８】
2009019418.tif 000010
【図９】
2009019418.tif 000011
【図１０】
2009019418.tif 000012
【図１１】
2009019418.tif 000013
【図１２】
2009019418.tif 000014
【図１３】
2009019418.tif 000015
【図１４】
2009019418.tif 000016
【図１５】
2009019418.tif 000017
【図１６】
2009019418.tif 000018
【図１７】
2009019418.tif 000019